(57)【要約】  特別な装置を導入することなしに簡単な構成で特別なコンテンツを特定のユーザ装置のみで再生するため、データ放送システムにおいて、ネットワークを介して自らの機種情報を送信するとともにコンテンツの送信を要求する送信要求部と、暗号化されたコンテンツとこのコンテンツの復号に用いられる鍵情報とを受信し、コンテンツを鍵情報で復号化し再生するコンテンツ再生部とを備えたユーザ装置、および、機種情報とコンテンツの再生資格情報とが対応付けられた対応情報を記憶する資格記憶部と、ユーザ装置から機種情報の送信およびコンテンツ送信の要求を受けて対応情報を参照し、ユーザ装置が送信要求のあったコンテンツの再生資格を有するか否かを判定する再生資格判定部と、再生資格を有すると判定されたコンテンツおよび復号に用いられる鍵情報を当該ユーザ装置に向けて送信するコンテンツ送信部とを備えたデータ放送サーバを備えたことを特徴とする。
2010016129.tif 000002
【特許請求の範囲】
【請求項１】
ネットワークに接続され、ネットワークを介して自らの機種情報を送信するとともにネットワーク上のコンテンツの送信を要求する送信要求部と、
前記送信要求部によって要求されたコンテンツであって暗号化されたコンテンツと該コンテンツの復号に用いられる鍵情報とを受信し、該コンテンツを該鍵情報で復号化し再生するコンテンツ再生部と
を備えたユーザ装置、および、
機種情報と、当該機種におけるコンテンツの再生資格を表す再生資格情報とが対応付けられた対応情報を記憶する資格記憶部と、
前記ユーザ装置から機種情報の送信およびコンテンツ送信の要求を受けて前記対応情報を参照し、該ユーザ装置の機種情報に応じた再生資格情報を取得して、該ユーザ装置が当該ユーザ装置から送信要求のあったコンテンツの再生資格を有するか否かを判定する再生資格判定部と、
前記再生資格判定部によって再生資格を有すると判定されたコンテンツおよび該コンテンツの復号に用いられる鍵情報を当該ユーザ装置に向けて送信するコンテンツ送信部と
を備えたデータ放送サーバ
を備えたことを特徴とするデータ放送システム。
【請求項２】
前記ユーザ装置が、
放送局からの放送を受信する放送受信部と、
放送局から受信したコンテンツであって、ネットワーク上の他のコンテンツを指し示す二次リンク情報を指し示す一次リンク情報を含むコンテンツを表示する放送コンテンツ表示部とを備え、
前記送信要求部が、
前記放送コンテンツ表示部に表示されたコンテンツ中の一次リンク情報がユーザ操作により指定されたことを受けて、自らの機種情報を伴って、指定された一次リンク情報が指し示す二次リンク情報の送信をネットワークを介して要求する二次リンク情報要求部と、
前記二次リンク情報要求部によって送信が要求された二次リンク情報をネットワークを介して受信する二次リンク受信部と、
前記二次リンク受信部によって受信された前記二次リンク情報がユーザ操作により指定されたことを受けて、指定された二次リンク情報が指し示すコンテンツの送信をネットワークを介して要求するコンテンツ要求部とを備えたものであることを特徴とする請求項１記載のデータ放送システム。
【請求項３】
ネットワークに接続され、ネットワークを介して自らの機種情報を送信するとともにネットワーク上のコンテンツの送信を要求する送信要求部と、前記送信要求部によって要求されたコンテンツであって暗号化されたコンテンツと該コンテンツの復号に用いられる鍵情報とを受信し、該コンテンツを該鍵情報で復号化し再生するコンテンツ再生部とを備えたユーザ装置に対しコンテンツを送信するデータ放送サーバであって、
機種情報と、当該機種におけるコンテンツの再生資格を表す再生資格情報とが対応付けられた対応情報を記憶する資格記憶部と、
前記ユーザ装置から機種情報の送信およびコンテンツ送信の要求を受けて前記対応情報を参照し、該ユーザ装置の機種情報に応じた再生資格情報を取得して、該ユーザ装置が当該ユーザ装置から送信要求のあったコンテンツの再生資格を有するか否かを判定する再生資格判定部と、
前記再生資格判定部によって再生資格を有すると判定されたコンテンツおよび該コンテンツの復号に用いられる鍵情報を当該ユーザ装置に向けて送信するコンテンツ送信部とを備えたことを特徴とするデータ放送サーバ。
【請求項４】
コンピュータに組み込まれて該コンピュータを、ネットワークに接続され、ネットワークを介して自らの機種情報を送信するとともにネットワーク上のコンテンツの送信を要求する送信要求部と、前記送信要求部によって要求されたコンテンツであって暗号化されたコンテンツと該コンテンツの復号に用いられる鍵情報とを受信し、該コンテンツを該鍵情報で復号化し再生するコンテンツ再生部とを備えたユーザ装置に対しコンテンツを送信するデータ放送サーバとして機能させるデータ放送プログラムであって、
前記コンピュータ上に、
前記ユーザ装置から機種情報の送信およびコンテンツ送信の要求を受けて前記対応情報を参照し、該ユーザ装置の機種情報に応じた再生資格情報を取得して、該ユーザ装置が当該ユーザ装置から送信要求のあったコンテンツの再生資格を有するか否かを判定する再生資格判定部と、
前記再生資格判定部によって再生資格を有すると判定されたコンテンツおよび該コンテンツの復号に用いられる鍵情報を当該ユーザ装置に向けて送信するコンテンツ送信部とを構築することを特徴とするデータ放送プログラム。
【発明の詳細な説明】
【技術分野】
【０００１】
本件は、データ放送システム、データ放送サーバ、およびデータ放送プログラムに関する。
【背景技術】
【０００２】
デジタル化した画像および音声の信号を地上波で送信する地上デジタルテレビジョン放送では、放送信号の帯域が１３のセグメントに分割されて使用されている。このうち１つのセグメントを利用して、ワンセグ放送と称する主に移動体向けの放送が実施されている。ワンセグ放送の受信機能は、専用のテレビ受信装置だけでなく、パーソナルコンピュータや携帯電話といった情報機器に導入されている。【０００３】
ワンセグ放送では、放送局から地上波で供給される通常のテレビ番組としての画像および音声の他に、付加サービスとして、インターネットといったネットワークを経由して情報を供給するデータ放送が実施されている。データ放送では、放送局から地上波で送信されてくる情報の中にリンク情報が含まれている。このリンク情報は、インターネットを介してアクセス可能なデータ放送サーバ内のコンテンツを指し示している。ユーザ側においてテレビ受信機として機能するユーザ装置は、受信した地上波からリンク情報を取得し、リンク情報に応じたコンテンツをデータ放送サーバから取得して表示する。データ放送サーバが提供するコンテンツには、テキストだけでなく画像および音声が含まれる。ワンセグ放送では、放送波で提供される番組の制約を超えて、ユーザ操作に応じたオンデマンド型の情報提供が可能となる。【０００４】
データ放送では、オンデマンド型の情報提供という特徴を活かし、特別なコンテンツを特定のユーザ装置のみに提供するサービスが望まれている。従来より、ネットワークを介したコンピュータ同士の通信にのみによるネットワーク配信や、ＣＳ（ｃｏｍｍｕｎｉｃａｔｉｏｎｓ  ｓａｔｅｌｌｉｔｅ）放送およびケーブルテレビ放送では、ＶＯＤ（Ｖｉｄｅｏ  Ｏｎ  Ｄｅｍａｎｄ）と称し、例えば有料コンテンツを、課金手続きしたユーザ装置に提供するサービスが実施されている。【０００５】
ネットワークを介したＶＯＤでは、コンテンツを送信するコンテンツサーバとは別の管理サーバがコンテンツ受信側であるパーソナルコンピュータ（ＰＣ）からクレジットカードの情報を受信し、スクランブルを解除するためのライセンス情報を電子メール等で送信する。コンテンツサーバが再生側のユーザ装置であるＰＣにスクランブル等によって保護されたコンテンツを送信すると、ＰＣは取得したライセンス情報を利用してスクランブルを解除し、コンテンツを表示する。【０００６】
また、特別なコンテンツを保護するシステムとして、例えば、サーバからユーザ装置に供給する有料コンテンツにＤＲＭ（Ｄｉｇｉｔａｌ  Ｒｉｇｈｔｓ  Ｍａｎａｇｅｍｅｎｔ）を適用し、再生を制限するものが知られている（例えば、特許文献１参照。）。このシステムでは、ユーザ装置がサーバにデジタル署名を送信し、サーバがコンテンツ中のＤＲＭメッセージに署名を挿入する。【０００７】
また、ＣＳ放送およびケーブルテレビ放送では、ユーザ装置でユーザによる有料コンテンツの選択操作が行われると、この選択操作が視聴データとして内蔵のＩＣカードに蓄積されるとともにコンテンツが表示される。ＩＣカードに蓄積された視聴データは例えば電話回線を介して配信側に通知される。
【特許文献１】特開２００４−３４２０８０号公報
【発明の開示】
【０００８】
ＣＳ放送およびケーブルテレビ放送ではコンテンツを視聴するユーザが限定されておりユーザ装置の全てにＩＣカードを内蔵させることが可能であるが、例えばワンセグ放送のように、コンテンツを視聴するユーザが限定されておらず、ＰＣもユーザ装置として使用できる放送では、ユーザ装置の全てにＩＣカードやインターフェースを新たに導入させることは現実的でない。また、ネットワーク配信では、電子メール等によって管理サーバとデータをやり取りする手段がユーザ装置に必要となりユーザ装置の構成が複雑となる。また上記のＤＲＭを用いたシステムにおいて、ＤＲＭメッセージはコンテンツに挿入されるものであり、ＤＲＭメッセージ内の署名を変更するため、コンテンツがユーザ装置ごとに修正される必要がある。このため、送信側における処理が複雑となる。
【０００９】
本件開示は、上記事情に鑑み、簡単な構成で、特別なコンテンツを特定のユーザ装置のみで再生することができるデータ放送システム、データ放送サーバ、およびデータ放送プログラムを提供することを目的とする。
【００１０】
本件開示のデータ放送システムの基本形態は、
ネットワークに接続され、ネットワークを介して自らの機種情報を送信するとともにネットワーク上のコンテンツの送信を要求する送信要求部と、
上記送信要求部によって要求されたコンテンツであって暗号化されたコンテンツとこのコンテンツの復号に用いられる鍵情報とを受信し、このコンテンツをこの鍵情報で復号化し再生するコンテンツ再生部と
を備えたユーザ装置、および、
機種情報と、当該機種におけるコンテンツの再生資格を表す再生資格情報とが対応付けられた対応情報を記憶する資格記憶部と、
上記ユーザ装置から機種情報の送信およびコンテンツ送信の要求を受けて上記対応情報を参照し、このユーザ装置の機種情報に応じた再生資格情報を取得して、このユーザ装置が当該ユーザ装置から送信要求のあったコンテンツの再生資格を有するか否かを判定する再生資格判定部と、
上記再生資格判定部によって再生資格を有すると判定されたコンテンツおよびこのコンテンツの復号に用いられる鍵情報を当該ユーザ装置に向けて送信するコンテンツ送信部と
を備えたデータ放送サーバ
を備えている。
【００１１】
また、本件開示のデータ放送サーバの基本形態は、
ネットワークに接続され、ネットワークを介して自らの機種情報を送信するとともにネットワーク上のコンテンツの送信を要求する送信要求部と、上記送信要求部によって要求されたコンテンツであって暗号化されたコンテンツとこのコンテンツの復号に用いられる鍵情報とを受信し、このコンテンツを該鍵情報で復号化し再生するコンテンツ再生部とを備えたユーザ装置に対しコンテンツを送信するデータ放送サーバであって、
機種情報と、当該機種におけるコンテンツの再生資格を表す再生資格情報とが対応付けられた対応情報を記憶する資格記憶部と、
上記ユーザ装置から機種情報の送信およびコンテンツ送信の要求を受けて上記対応情報を参照し、このユーザ装置の機種情報に応じた再生資格情報を取得して、このユーザ装置が当該ユーザ装置から送信要求のあったコンテンツの再生資格を有するか否かを判定する再生資格判定部と、
上記再生資格判定部によって再生資格を有すると判定されたコンテンツおよびこのコンテンツの復号に用いられる鍵情報を当該ユーザ装置に向けて送信するコンテンツ送信部とを備えたことを特徴とする。
【００１２】
本件開示のデータ放送プログラムの基本形態は、
コンピュータに組み込まれて該コンピュータを、ネットワークに接続され、ネットワークを介して自らの機種情報を送信するとともにネットワーク上のコンテンツの送信を要求する送信要求部と、上記送信要求部によって要求されたコンテンツであって暗号化されたコンテンツとこのコンテンツの復号に用いられる鍵情報とを受信し、このコンテンツをこの鍵情報で復号化し再生するコンテンツ再生部とを備えたユーザ装置に対しコンテンツを送信するデータ放送サーバとして機能させるデータ放送プログラムであって、
上記コンピュータ上に、
上記ユーザ装置から機種情報の送信およびコンテンツ送信の要求を受けて上記対応情報を参照し、このユーザ装置の機種情報に応じた再生資格情報を取得して、このユーザ装置が当該ユーザ装置から送信要求のあったコンテンツの再生資格を有するか否かを判定する再生資格判定部と、
上記再生資格判定部によって再生資格を有すると判定されたコンテンツおよびこのコンテンツの復号に用いられる鍵情報を当該ユーザ装置に向けて送信するコンテンツ送信部とを構築することを特徴とする。
【００１３】
この基本形態によれば、データ放送サーバがコンテンツの送信を要求するユーザ装置から機種情報を受け、対応情報を参照して取得したユーザ装置の再生資格情報に応じてコンテンツの鍵情報を送信するので、ユーザ装置に例えばＩＣカードといった特別な装置を導入したり、ユーザ装置ごとにコンテンツの内容を変更したりすることなしに、簡単な構成で、特別なコンテンツを特定のユーザ装置のみで再生することができる。
【図面の簡単な説明】
【００１４】
【図１】データ放送システムの具体的な一実施形態を示す図である。
【図２】図１に示すユーザ装置のハードウェア構成を示すブロック図である。
【図３】図１に示すサーバのハードウェア構成を示すブロック図である。
【図４】図１に示すユーザ装置の主要な機能ブロックの構成を示したブロック図である。
【図５】図１に示すデータ放送サーバの主要な機能ブロックの構成を示したブロック図である。
【図６】データ放送プログラムの構成を示す図である。
【図７】画像表示装置の表示画面に放送局から受信した放送コンテンツが表示された状態を示す図である。
【図８】ユーザエージェントのデータ構成を示す図である。
【図９】資格記憶部に記憶された対応情報を示す図である。
【図１０】図４に示すユーザ装置での処理を示すフローチャートである。
【図１１】図５に示すデータ放送サーバでの処理を示すフローチャートである。
【図１２】ユーザ装置にサブメニューが表示された状態を示す図である。
【図１３】ユーザ装置の表示画面に資格警告メッセージが表示された状態を示す図である。
【図１４】ユーザ装置の表示画面にサーバから送信されてきた有料コンテンツが表示された状態を示す図である。
【発明を実施するための最良の形態】
【００１５】
以下、本件開示のデータ放送システムの具体的な実施形態について説明する。【００１６】
図１は、データ放送システムの具体的な一実施形態を示す図である。【００１７】
図１に示すデータ放送システムＳは、ワンセグ放送のデータを地上波で送信する放送局１、放送局からの放送を受信するユーザ装置２，３，４、およち、ユーザ装置２，３，４と双方向通信を行ってデータ放送の情報を供給するデータ放送サーバ６（以降、単にサーバ６と称する。）を備えている。ユーザ装置２，３，４とサーバ６とはネットワーク７によって接続されている。ネットワーク７は例えばインターネットである。【００１８】
放送局１は、ワンセグ放送のデータを放送波（地上波）によって無線送信する。ユーザ装置２，３，４のそれぞれは、放送局１から送信されてくるデータを受信する。放送局１が送信するデータである放送コンテンツＣ１には、通常のテレビ放送における画像および音声（以降、「画像および音声」を単に「画像」と称する。）のデータが含まれており、ユーザ装置２，３，４は、放送局１から送信されてくるデータを受信・処理して表示する。【００１９】
ここで、放送局１、ユーザ装置２，３，４、およびサーバ６間でのデータの流れの概略を説明する。【００２０】
ユーザ装置２，３，４は、放送コンテンツＣ１の他に、ネットワーク７を介して送信されてくるコンテンツＣ２も受信して表示する。本実施形態では、サーバ６がコンテンツＣ２を格納しており、ユーザ装置２，３，４からの要求に応じてコンテンツＣ２をネットワーク７経由でユーザ装置２，３，４に送信する。ユーザ装置２，３，４はサーバ６に、ネットワーク上のコンテンツＣ２を指し示すリンク情報Ｌ２に応じてコンテンツの送信を要求する。このリンク情報Ｌ２はメニューデータＭ２としてサーバ６から供給される。そしてこのリンク情報Ｌ２が含まれたメニューデータＭ２もまた、ユーザ装置２，３，４からの要求に応じて送信される。ユーザ装置２，３，４はリンク情報Ｌ２が含まれたメニューデータを指し示す別のリンク情報Ｌ１に基づいて、サーバ６にサブメニューデータＭ２の送信を要求する。この別のリンク情報Ｌ１は、放送局１から放送されてくる放送コンテンツＣ１にメニューデータＭ１の形式で含まれている。放送局１から送信されてくる放送コンテンツＣ１に含まれたリンク情報Ｌ１を一次リンク情報と称し、サーバ６から送信されてくるリンク情報Ｌ２を二次リンク情報と称する。【００２１】
つまり、放送局１から放送されてくる放送コンテンツＣ１には、一次リンク情報Ｌ１が含まれており、一次リンク情報Ｌ１は二次リンク情報Ｌ２を指し示す。サーバ６から送信されてくる二次リンク情報Ｌ２はサーバに格納されたコンテンツＣ２を指し示している。二次リンク情報Ｌ２が含まれたメニューデータＭ２をサブメニューデータと称する。【００２２】
放送コンテンツＣ１と異なり、ネットワーク７を介して送信可能なコンテンツＣ２は複数ある。多数のコンテンツを効率よく指し示すため、リンク情報は階層化されている。例えば、放送局１から放送されてくるメニューデータＭ１には、複数のサブメニューデータＭ２を指し示す複数の一次リンク情報Ｌ１が含まれ、複数のサブメニューデータＭ２のそれぞれには、複数の二次リンク情報Ｌ２が含まれる。図１には、指し示される関係（破線で表示）を見やすくするため、一次リンク情報Ｌ１および二次リンク情報Ｌ２がそれぞれ１つずつ示されている。【００２３】
リンク情報Ｌ１，Ｌ２を含むメニューデータＭ１およびサブメニューデータＭ２は、日本電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）によって規定されたＢＭＬ（ｂｒｏａｄｃａｓｔ  ｍａｒｋｕｐ  ｌａｎｇｕａｇｅ）で記述されており、選択可能なコンテンツの一覧を表すメニューとして記述されている。ＢＭＬは、ＸＨＴＭＬ（ｅｘｔｅｎｓｉｂｌｅ  ｈｙｐｅｒｔｅｘｔ  ｍａｒｋｕｐ  ｌａｎｇｕａｇｅ）を基本として規定されたマークアップ言語である。リンク情報Ｌ１，Ｌ２は、ＵＲＬ（ｕｎｉｆｏｒｍ  ｒｅｓｏｕｒｃｅ  ｌｏｃａｔｏｒ）を有している。【００２４】
図２は、図１に示すユーザ装置のハードウェア構成を示すブロック図である。【００２５】
ユーザ装置２，３，４はパーソナルコンピュータであり、機種や処理能力が互いに異なっているが、基本的なハードウェア構成は共通である。したがって、処理能力の違いについては後述し、ユーザ装置２を代表して図示し、基本的なハードウェア構成を説明する。【００２６】
ユーザ装置２は、ＣＰＵ２０、メモリ２１、ハードディスク装置２２、画像表示装置２３、キーボード２４、マウス２５、ＣＤ−ＲＯＭドライブ２６、ネットワークＩＦ２７、テレビチューナ２８、および、ＢＩＯＳメモリ２９を備えている。これらは、バス２００を介して相互に接続されている。【００２７】
ＣＰＵ２０はプログラムを実行することによってユーザ装置２内の各部を制御するとともに、各部から出力されたデータを処理する。メモリ２１はＣＰＵ２０で実行されるプログラムやデータを一時的に記憶する。ハードディスク装置２２には各種プログラムやデータが保存されている。画像表示装置２３は表示画面に画像を表示する。キーボード２４はユーザの操作に応じて指示や文字情報を入力し、マウス２５は、ユーザの操作に応じて画像表示装置２３の表示画面上の任意の位置を指定することによりその位置に応じた指示を入力する。ＣＤ−ＲＯＭドライブ２６は、記録媒体としてのＣＤ−ＲＯＭ２６０が装填され、その装填されたＣＤ−ＲＯＭ２６０にアクセスする。ネットワークＩＦ２７は、例えばＩＰに代表される通信プロトコルを用い、ネットワーク７を介してサーバ６に接続する。テレビチューナ２８は、放送局から送信されてくる放送波を受信する。より詳細には、テレビチューナ２８は、各チャネルに応じた周波数帯の電波を選択して受信し、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）復調し、復調した信号をＴＳ（Ｔｒａｎｓｐｏｒｔ  Ｓｔｒｅａｍ）信号の形式で出力する。【００２８】
ＢＩＯＳメモリ２９は、ユーザ装置２内の各部を動作させる基本的な入出力プログラムであるＢＩＯＳ（ｂａｓｉｃ  ｉｎｐｕｔ／ｏｕｔｐｕｔ  ｓｙｓｔｅｍ）プログラムが記憶されている。またＢＩＯＳメモリ２９には、ユーザ装置の製造時に、個々のユーザ装置を識別するデータが記憶されている。ＢＩＯＳメモリ２９は、例えばフラッシュメモリに代表される不揮発メモリである。また、上述したハードディスク装置２２には、ユーザ装置の製造メーカおよびユーザ装置の機種を表すデータが記憶されている。【００２９】
図３は、図１に示すサーバのハードウェア構成を示すブロック図である。【００３０】
サーバ６は、ＣＰＵ６０、メモリ６１、ハードディスク装置６２、画像表示装置６３、キーボード６４、マウス６５、ＣＤ−ＲＯＭドライブ６６、ネットワークＩＦ６７、およびＢＩＯＳメモリ６９を備えている。これらは、バス６００を介して相互に接続されている。サーバ６は、テレビチューナを備えていない点を除き図２に示すユーザ装置と共通の基本構成を有するコンピュータであり、これ以上の詳細な説明は省略する。ただし、サーバ６は、複数のユーザ装置と同時に通信してコンテンツを供給するため、各部の処理能力がユーザ装置２のものよりも高いものとなっている。【００３１】
図４は、図１に示すユーザ装置の主要な機能ブロックの構成を示したブロック図である。【００３２】
ユーザ装置２は、放送受信部２０１、放送コンテンツ表示部２０２、送信要求部２０３、ユーザ操作部２０４、ＩＤ記憶部２０５、および、通信コンテンツ再生部２０６を備えている。送信要求部２０３はさらに、二次リンク情報要求部２１１、二次リンク受信部２１２、コンテンツ要求部２１３を備えている。これらの機能ブロックは、ハードディスク装置２２やＣＤ−ＲＯＭ２６０に記憶されたプログラムがＣＰＵ２０で実行されることによって機能する。ユーザ装置２の他のユーザ装置３，４も、ユーザ装置２と同様の機能ブロックを有している。図２に示すテレビチューナ２８およびＣＰＵ２０の組合せが放送受信部２０１に対応し、図２に示す画像表示装置２３およびＣＰＵ２０の組合せが放送コンテンツ表示部２０２に対応する。また、図２に示すキーボード２４、マウス２５およびＣＰＵ２０の組合せがユーザ操作部２０４に対応し、図２に示すネットワークＩＦ２７およびＣＰＵ２０の組合せが送信要求部２０３に対応する。また、図２に示すＢＩＯＳメモリ２９およびハードディスク装置２２がＩＤ記憶部２０５に対応し、図２に示す画像表示装置２３およびＣＰＵ２０の組合せが通信コンテンツ再生部２０６に対応する。【００３３】
放送受信部２０１は、放送局１からの放送を受信する。放送受信部２０１は、より詳細には、チャンネルに対応する放送波を受信して復調し、放送波で搬送された放送コンテンツＣ１を出力する。放送局１から送信されてくる放送コンテンツＣ１（図１参照）には、画像データと、データ放送のコンテンツ受信を開始するためのメニューデータＭ１とが含まれている。【００３４】
放送コンテンツ表示部２０２は、放送受信部２０１が放送局１から受信した放送コンテンツＣ１を表示する。放送コンテンツ表示部２０２は、より詳細には、放送受信部２０１で取り出された画像のデータをデコードして画像表示装置２３の表示画面に表示するとともに、データ放送の開始させるためのメニューデータＭ１を画像表示装置２３の表示画面に表示する。放送コンテンツ表示部２０２は、メニューデータＭ１をユーザ操作部２０４のデータ放送開始操作に応じて表示する。また、放送コンテンツ表示部２０２は、送信要求部２０３での受信を受けて二次リンク情報が含まれたメニューデータＭ２や、コンテンツＣ２も表示する。【００３５】
図７は、画像表示装置の表示画面に放送局から受信した放送コンテンツが表示された状態を示す図である。【００３６】
画像表示装置２３の表示画面２３ａのうち左上の領域Ｐ１には、放送局から受信した放送コンテンツＣ１の画像が表示されている。また下の領域Ｐ２には、他チャネルの放送波を選択するためのチャネルボタンが表示されている。また、右上の領域Ｐ３には、メニューデータＭ１が表示されている。メニューデータＭ１は、実際にはＢＭＬで記述されており、メニューデータＭ１が有する複数の一次リンク情報のそれぞれには、選択ボタンとして表示される項目名、項目名に対応したＵＲＬ、および選択ボタンの表示属性が含まれている。一次リンク情報のＵＲＬは、サーバ６に保存された、二次リンク情報を含むサブメニューデータＭ２を指し示している。放送コンテンツ表示部２０２は、ＢＭＬブラウザとして機能し、ＢＭＬで記述されたメニューデータＭ１を解釈し、右上の領域Ｐ３に表示する。領域Ｐ３には、一次リンク情報のそれぞれに含まれた項目名である”ニュース”、”交通情報”、”番組表”、”動画コンテンツ”、および、”災害情報”が選択ボタンとして表示されている。【００３７】
図４に示すユーザ操作部２０４は、放送コンテンツＣ１のメニューデータＭ１に含まれた一次リンク情報のいずれかをユーザの操作に応じて指定する。より具体的には、ユーザ操作部２０４は、ユーザによるキーボード２４またはマウス２５の操作に応じて、放送コンテンツ表示部２０２の表示画面２３ａにおける右上の領域Ｐ３に表示された選択ボタンのいずれかが選択されると、選択されたボタンの一次リンク情報に対応したＵＲＬを指定する。ユーザ操作部２０４は、二次リンク情報の指定も一次リンクと同様に行う。【００３８】
送信要求部２０３は、ネットワーク７に接続され、ネットワーク７を介してサーバ６に対しデータを送受信する。送信要求部２０３は、自らの機種情報を送信するとともにネットワーク上のコンテンツの送信を要求する。【００３９】
二次リンク情報要求部２１１は、放送受信部２０１で受信されたメニューデータＭ１の中からユーザ操作部２０４により一次リンク情報が指定されたことを受けて、指定された一次リンク情報のＵＲＬが指し示す二次リンク情報の送信を要求する。送信の要求は、サーバ６に対し送信コマンドを送信することによって行われる。この送信コマンドには、ユーザ装置自らの情報が挿入されたユーザエージェントが含まれている。【００４０】
図８は、ユーザエージェントのデータ構成を示す図である。【００４１】
送信要求コマンドに挿入されるユーザエージェント（Ｕｓｅｒ−Ａｇｅｎｔ）は、ＡＲＩＢ  ＴＲ−１４規格によって規定されており、”ＤＰＡ”の文字（３バイト）、ユーザ装置の製造メーカを表すメーカＩＤ（３バイト）、ユーザ装置が搭載するブラウザを表すブラウザ名（２０バイト）、ブラウザメジャーバージョン番号（３バイト）、ブラウザマイナバージョン番号（３バイト）、ユーザ装置の機種を表す機種ＩＤ（２０バイト）、個々のユーザ装置を識別するための受信機ＩＤ（２０バイト）、暗号化されたコンテンツの復号に用いられるデバイスキー（ｄｅｖｉｃｅ  ｋｅｙ）（８バイト）、および、ユーザ装置におけるコンテンツの再生状態を表す再生状態コード（１バイト）を有している。ユーザエージェントは、ユーザ装置２とサーバ６との間で双方向でやり取りされる。二次リンク情報要求部２１１は、ＩＤ記憶部２０５から、メーカＩＤ、機種ＩＤ、およびシリアル番号を読み出してユーザエージェントのメーカＩＤ、機種ＩＤ、および受信機ＩＤに挿入し、このユーザエージェントが挿入された送信要求コマンドを送信する。【００４２】
二次リンク受信部２１２はサーバ６から送信されてきた二次リンク情報を受信する。より詳細には、二次リンク受信部２１２は、二次リンク情報を含んだサブメニューデータＭ２を受信し、通信コンテンツ再生部２０６に表示させる。コンテンツ要求部２１３はユーザ操作部２０４により二次リンク情報が指定されたことを受けて、指定された二次リンク情報のＵＲＬが指し示すコンテンツの送信を要求する。また、二次リンク受信部２１２は、ユーザエージェントの再生状態コードにコンテンツの再生状態に応じた値を挿入し、このユーザエージェントをサーバに送信する。【００４３】
通信コンテンツ再生部２０６は、ネットワーク７を介してサーバ６から送信されてきたコンテンツを再生・表示する。通信コンテンツ再生部２０６と放送コンテンツ表示部２０２は、ハードウェアとしての画像表示装置２３を共用し、表示画面２３ａの一部または全部を切り替えてそれぞれのコンテンツを表示させる。通信コンテンツ再生部２０６は、ネットワーク７を介してサーバ６から鍵情報であるデバイスキー（ｄｅｖｉｃｅ  ｋｅｙ）も受信する。デバイスキーは、ユーザエージェントの中に挿入されて送信されてくる。通信コンテンツ再生部２０６は、デバイスキーを受信した場合には、このデバイスキーを利用して暗号化されたコンテンツの復号も行う。【００４４】
図５は、図１に示すデータ放送サーバの主要な機能ブロックの構成を示したブロック図である。【００４５】
サーバ６は、資格記憶部６０１、再生資格判定部６０２、二次リンク情報送信部６０３、コンテンツ送信部６０４、コンテンツ記憶部６０６を備えている。図３に示すメモリ６１およびハードディスク装置６２のそれぞれが資格記憶部６０１に対応し、図３に示すＣＰＵ６０およびネットワークＩＦ６７の組合せが二次リンク情報送信部６０３に対応する。また、図３に示すメモリ６１およびハードディスク装置６２のそれぞれがコンテンツ記憶部６０６に対応し、ＣＰＵ６０およびネットワークＩＦ６７の組合せがコンテンツ送信部６０４に対応する。また、図３に示すＣＰＵ６０およびネットワークＩＦ６７の組合せが再生資格判定部６０２に対応する。【００４６】
資格記憶部６０１は、ユーザ装置の機種情報と、当該機種のコンテンツ表示性能とが対応付けられた対応情報６０１ａを記憶している。データ放送のサービスを受けるユーザ装置は、機種によって特別な有料コンテンツを再生する資格が異なる。例えば、販売価格に有料コンテンツの視聴料が含まれた機種のＰＣすなわちユーザ装置は、有料コンテンツの再生資格を有するものとして登録されている。【００４７】
図９は、資格記憶部に記憶された対応情報を示す図である。図９には対応情報６０１ａが表形式で示されている。【００４８】
対応情報６０１ａは、メーカＩＤ、機種ＩＤ、有料コンテンツ再生資格の欄を有している。これらのうちメーカＩＤおよび機種ＩＤの組合せが機種情報を表している。また、有料コンテンツ再生資格が有料コンテンツの再生資格情報を表している。例えば、メーカＩＤの値が１、機種ＩＤの値が１の場合、ユーザ装置としてＡ社のａ機種を表しており、この機種は、有料コンテンツの再生資格を有していないことを表している。この一方で、Ａ社のｂ機種およびｃ機種は有料コンテンツの再生資格を有している。対応情報６０１ａは、製造メーカによる新機種ユーザ装置の発表に応じて追加・更新されていく。【００４９】
再生資格判定部６０２は、ユーザ装置２，３，４から送信されてきた、ユーザ装置の機種情報が含まれた送信要求を受けて対応情報６０１ａを参照し、ユーザ装置２，３，４のコンテンツ再生資格情報を取得する。再生資格判定部６０２は、さらに、コンテンツ再生資格情報に基づいて送信要求を送信したユーザ装置が、送信要求されたコンテンツの再生資格を有するか否かを判定する。【００５０】
二次リンク情報送信部６０３は、ユーザ装置２，３，４から送信要求を受けた二次リンク情報を当該ユーザ装置に向けて送信する。二次リンク情報送信部６０３は、より詳細には、二次リンク情報を含むサブメニューデータＭ２をコンテンツ記憶部６０６から読み出し送信する。サブメニューデータＭ２は、メニューデータＭ１と同様にＢＭＬで記述されており、サブメニューデータＭ２が有する二次リンク情報のそれぞれには、選択ボタンとして表示される項目名、および項目名に対応したＵＲＬが含まれている。二次リンク情報のＵＲＬは、サーバ６に保存されたコンテンツを指し示している。【００５１】
コンテンツ記憶部６０６は、データ放送でユーザ装置に供給されるコンテンツＣ２およびサブメニューデータＭ２が記憶されている。コンテンツＣ２には、いずれのユーザ装置でも再生させる無料コンテンツと、特定の機種のユーザ装置にのみ再生させる、特別なコンテンツとしての有料コンテンツとが含まれている。有料コンテンツは暗号化されており、対応するデバイスキーを有するユーザ装置のみが再生をすることができる。このコンテンツ記憶部６０６には有料コンテンツに対応するデバイスキーも記憶されている。【００５２】
コンテンツ送信部６０４は、ユーザ装置２，３，４の送信要求部２０３から送信要求のあったコンテンツをコンテンツ記憶部６０６から読み出し、ネットワーク７を経由して、要求したユーザ装置に送信する。また、コンテンツ送信部６０４は、再生資格判定部６０２によって、ユーザ装置が再生資格を有すると判定されたコンテンツのデバイスキーもユーザ装置に送信する。【００５３】
図６は、データ放送プログラムの構成を示す図である。【００５４】
ここで、データ放送プログラム９００は、ＣＤ−ＲＯＭ２６０に記憶されており、資格記憶部９０１、再生資格判定部９０２、二次リンク情報送信部９０３、コンテンツ送信部９０４、およびコンテンツ記憶部９０６を備えている。データ放送プログラム９００が、図３に示すＣＰＵ６０で実行されることによって、図５に示す、資格記憶部６０１、再生資格判定部６０２、二次リンク情報送信部６０３、コンテンツ送信部６０４、およびコンテンツ記憶部６０６が構築される。【００５５】
図１０は、図４に示すユーザ装置での処理を示すフローチャートであり、図１１は、図５に示すデータ放送サーバでの処理を示すフローチャートである。【００５６】
ユーザ装置２，３，４およびサーバ６は互いに通信しながら処理を進めるので、図１０および図１１を交互に参照し、また図４および図５に示すユーザ装置２，３，４およびサーバ６の処理を説明する。ユーザ装置の処理については、図１に示す３つのユーザ装置のうちユーザ装置２を例に挙げて説明し、必要に応じて他のユーザ装置３の場合についても説明する。【００５７】
ユーザ装置２では、まず、ユーザ装置２自身の情報取得が実行される（ステップＳ１０）。情報取得では、送信要求部２０３がＩＤ記憶部２０５からユーザ装置２自身の情報であるメーカＩＤ、機種ＩＤ、およびシリアル番号を読み出す。【００５８】
次に、ユーザ装置２での今回の処理が再生中断後の再開処理であるか否かを判断する（ステップＳ１１）。再生中断および再開処理の詳細については後述するが、このステップでは、前回コンテンツの再生中に処理のハングアップ等の異常によって再生が中断したか否かが判断される。異常が無ければ（ステップＳ１１でＮｏ）次のステップＳ１２の処理が実行される。【００５９】
次に、テレビ放送波受信処理が実行される（ステップＳ１２）。テレビ放送波受信処理では、放送受信部２０１が放送局１（図１参照）から放送波を受信する。また、放送コンテンツ表示部２０２が、放送受信部２０１によって受信された放送波のコンテンツＣ１を表示する。コンテンツＣ１には画像データおよびメニューデータＭ１が含まれており、放送コンテンツ表示部２０２は、画像の情報をデコードして表示する（ステップＳ１４）。【００６０】
ユーザ操作部２０４が、ユーザによるデータ放送の開始操作を受けると（ステップＳ１３でＹｅｓ）、放送コンテンツ表示部２０２は、コンテンツＣ１に含まれたメニューデータＭ１を表示する。これによって図７に示すように、表示画面２３ａの領域Ｐ１に通常のテレビ番組が表示され、領域Ｐ３にデータ放送のボタンが表示される。【００６１】
次に、ユーザ操作部２０４が、表示されたボタンのいずれかを選択するリンク選択操作を受けると（ステップＳ１５でＹｅｓ）、送信要求部２０３がサーバ６と通信を開始する（ステップＳ１６）。サーバ６もユーザ装置２と通信を開始する（ステップＳ４１）。【００６２】
ここで、ユーザ装置２が、例えばネットワーク７に接続されていないといった理由でサーバ６と通信可能でない場合には（ステップＳ１７でＮｏ）、データ放送サービスを受けることがでず、放送波のみの受信となる。この一方、サーバ６と通信可能である場合（ステップＳ１７でＹｅｓ）、送信要求部２０３は、サブメニュー要求を送信する（ステップＳ１８）。より詳細には、送信要求部２０３は、サーバ６に、リンク選択操作で選択されたボタンの一次リンク情報が指し示すデータの送信コマンド（送信要求）を送信し、この送信コマンドにはユーザエージェントを挿入する。ユーザエージェントは図８に示したように、メーカＩＤ、機種ＩＤ、および受信機ＩＤの情報を含んでいる。送信要求部２０３は、上記ステップＳ１０でＩＤ記憶部２０５から読み出したメーカＩＤ、機種ＩＤ、およびシリアル番号をユーザエージェントに挿入して送信コマンドを送信する。【００６３】
サーバ６の再生資格判定部６０２は、ユーザ装置２からサブメニュー要求の送信コマンドおよびこれに含まれたユーザエージェントを受信すると（ステップＳ４２）、コンテンツ記憶部６０６に記憶されたサブメニューデータをユーザ装置２に送信する（ステップＳ４３）。【００６４】
ユーザ装置２では、二次リンク受信部２１２がサーバ６からサブメニューデータを受信するとサブメニューを表示する（ステップＳ１９）。【００６５】
図１２は、ユーザ装置にサブメニューが表示された状態を示す図である。【００６６】
ユーザ装置２における画像表示装置２３の表示画面２３ａのうち左上の領域Ｐ１には、図７の場合と同様に、放送局から受信した放送コンテンツの画像が表示される。表示画面２３ａの右上の領域Ｐ３には、サブメニューデータが表示されている。サブメニューデータは複数の二次リンク情報を有している。各二次リンク情報に対応して、”キャットマン［有料］”、”１０／１０昼ニュース［無料］”、”春日和［有料］”、”１０／１０夜ニュース［無料］”の４つのボタンが選択可能に表示されている。【００６７】
ユーザ装置２のユーザ操作部２０４においてユーザによって［無料］と表示された無料コンテンツの選択操作が行われると（ステップＳ２０でＹｅｓ）、コンテンツ要求部２１３は、選択された二次リンク情報のＵＲＬに基づいて無料コンテンツの送信を要求する（ステップＳ２１）。［有料］と表示された有料コンテンツの選択操作が行われると（ステップＳ２２でＹｅｓ）、コンテンツ要求部２１３は、選択された二次リンク情報のＵＲＬに基づいて有料コンテンツの送信を要求する（ステップＳ２３）。【００６８】
一方、サーバ６では、無料コンテンツでなく有料コンテンツの要求を受けると（ステップＳ４４でＮｏ、ステップＳ４５でＹｅｓ）、上記のステップＳ４２で受信したユーザエージェントに含まれたメーカＩＤが正規のものであるか否か判定する（ステップＳ４６）。ここで、正規とは、ユーザ装置が対応情報６０１ａに登録されたメーカによって製造され、コンテンツ再生資格が把握できることを意味し、有料コンテンツを視聴可能なものとして販売されていない、例えば自作ＰＣのようなユーザ装置と区別するためのものである。正規か否かは、ユーザエージェントに含まれたメーカＩＤが資格記憶部６０１に記憶された対応情報６０１ａにあるか否かによって判定される。【００６９】
メーカＩＤが正規のものであると判定した場合（ステップＳ４６でＹｅｓ）、再生資格判定部６０２は、機種ＩＤから再生資格情報を取得し（ステップＳ４７）、ユーザ装置がコンテンツの再生資格を有しているか否かを判定する（ステップＳ４８）。より詳細には、再生資格判定部６０２は、資格記憶部６０１に記憶された対応情報６０１ａを参照し、ユーザエージェントに含まれたメーカＩＤおよび機種ＩＤの組合せに対応したコンテンツ再生資格情報を得る。例えば、ユーザエージェントを送信してきたユーザ装置２がＡ社のｂ機種であるとすると、再生資格判定部６０２は、メーカＩＤおよび機種ＩＤからこのユーザ装置２がコンテンツの再生資格を有していると判定される。また、例えば、ユーザエージェントを送信してきたのがＡ社のａ機種である別のユーザ装置３の場合、このユーザ装置３は、コンテンツの再生資格を有していないと判定される。【００７０】
再生資格判定部６０２が、上記ステップＳ４６でメーカＩＤが正規のものでないと判定した場合、または、上記ステップＳ４８でユーザ装置がコンテンツの再生資格を有していないと判定した場合、コンテンツ送信部６０４は、コンテンツの再生資格が無いことを示す資格警告メッセージをユーザ装置に送信して（ステップＳ４９）、次のコンテンツ要求を待つ（ステップＳ４４）。この一方、再生資格判定部６０２がメーカＩＤが正規でかつユーザ装置がコンテンツの再生資格を有していると判定した場合、コンテンツ送信部６０４は、要求されたコンテンツに対応するデバイスキーをユーザ装置に送信し（ステップＳ５０）、ユーザ装置からユーザエージェントを受信すると（ステップＳ５１でＹｅｓ）、要求されたコンテンツを送信する（ステップＳ５２）。デバイスキーはユーザエージェント（図８参照）に挿入して送信される。なお、上記ステップＳ４４で、無料コンテンツの要求を受けた場合（ステップＳ４４でＹｅｓ）、コンテンツ送信部６０４は直ちに要求されたコンテンツを送信する（ステップＳ５２）。【００７１】
ユーザ装置では、通信コンテンツ再生部２０６が警告メッセージを受信すると（ステップＳ２４でＹｅｓ）、資格警告メッセージを表示して（ステップＳ２５）、コンテンツの選択操作を待つ（ステップＳ２０）。【００７２】
図１３は、ユーザ装置の表示画面に資格警告メッセージが表示された状態を示す図である。【００７３】
警告メッセージを受信しない場合（ステップＳ２４でＮｏ）、通信コンテンツ再生部２０６はデバイスキーを受信する（ステップＳ２６）。通信コンテンツ再生部２０６はこの後、ユーザエージェント（図８参照）の再生状態コードに再生を表す値を挿入してサーバ６に送信し（ステップＳ２７）、サーバ６から送信されてくるコンテンツを受信・再生し表示する（ステップＳ２８）。通信コンテンツ再生部２０６は、暗号化された有料コンテンツについては、デバイスキーを利用して復号した上で再生するが、無料コンテンツの場合には、コンテンツが暗号化されていないので復号せずに再生する。【００７４】
図１４は、ユーザ装置の表示画面にサーバから送信されてきた有料コンテンツが表示された状態を示す図である。【００７５】
ユーザ装置２では、ハングアップ等の異常によって再生が中断せず（ステップＳ２９でＮｏ）、コンテンツの受信が完了するまで上記ステップＳ２８の受信・再生処理を継続する。【００７６】
ユーザ装置２では、コンテンツの受信が完了すると（ステップＳ３０でＹｅｓ）、通信コンテンツ再生部２０６が、再生完了を表す値をユーザエージェント（図８参照）の再生状態コードに挿入してサーバ６に送信する（ステップＳ３１）。また、通信コンテンツ再生部２０６は、表示画面に終了を表す画像を表示して（ステップＳ３２）、図１２に示すサブメニューの表示処理を実行する（ステップＳ１９）。【００７７】
サーバ６は、再生完了を表す値が挿入されたユーザエージェントを受信すると（ステップＳ５３でＹｅｓ）、ユーザ装置でのコンテンツ再生が全て完了したとして、次のコンテンツ要求待ちに戻る（ステップＳ４４）。サーバ６は、再生完了を表すユーザエージェントを受信するまでは、コンテンツの送信処理状態を維持する（ステップＳ５２）。より詳細には、コンテンツ送信部６０４が、コンテンツを最後まで送信した後も、再送可能な状態で待機する。したがって、ユーザ装置２において、コンテンツの再生途中にハングアップ等の異常でコンテンツの再生が中断し（ステップＳ２９でＹｅｓ）、ユーザ装置２の処理が中断した場合、その後、処理を始めすなわちステップＳ１０から再開した場合、上記ステップＳ１１で中断後再開と判断し、ユーザエージェントの送信処理（ステップＳ２７）を開始しても、再生資格のための通信や判断を行うことなく速やかにコンテンツの再生が再開できる。【００７８】
上述したデータ放送システムＳによれば、例えばＩＣカードといった特別な装置を導入したり、ユーザ装置ごとにコンテンツの内容を変更したりすることなしに、簡単な簡単な構成で、特別な有料コンテンツを特定の機種のユーザ装置のみで再生させることができる。したがって、有料コンテンツの視聴システムをワンセグ放送に代表される放送システムに対応させることができる。【００７９】
このことは、上述の基本形態に対し、
「上記ユーザ装置が、
放送局からの放送を受信する放送受信部と、
放送局から受信したコンテンツであって、ネットワーク上の他のコンテンツを指し示す二次リンク情報を指し示す一次リンク情報を含むコンテンツを表示する放送コンテンツ表示部とを備え、
上記送信要求部が、
上記放送コンテンツ表示部に表示されたコンテンツ中の一次リンク情報がユーザ操作により指定されたことを受けて、自らの機種情報を伴って、指定された一次リンク情報が指し示す二次リンク情報の送信をネットワークを介して要求する二次リンク情報要求部と、
上記二次リンク情報要求部によって送信が要求された二次リンク情報をネットワークを介して受信する二次リンク受信部と、
上記二次リンク受信部によって受信された上記二次リンク情報がユーザ操作により指定されたことを受けて、指定された二次リンク情報が指し示すコンテンツの送信をネットワークを介して要求するコンテンツ要求部とを備えたものである」という応用形態が好適であることを示している。【００８０】
なお、具体的な各実施形態に対する上記説明では、「発明の開示」で説明した基本形態におけるデータ放送サーバの一例として１つのサーバ６が示されているが、このデータ放送サーバは、１台に限られるものではなく、複数台設けられていてもよい。また、データサーバのうちコンテンツ送信部およびコンテンツ記憶部が、残りの機能と分かれて複数台のサーバに配置されていてもよい。【００８１】
また、具体的な各実施形態に対する上記説明では、「発明の開示」で説明した基本形態におけるユーザ装置の一例としてパーソナルコンピュータの例が示されているが、このユーザ装置は、パーソナルコンピュータ以外にも、受信機携帯電話や情報ユーザ装置機器であってもよくテレビ受信機であってもよい。【００８２】
また、具体的な各実施形態に対する上記説明では、「発明の開示」で説明した基本形態におけるネットワークの一例としてインターネットが示されているが、このネットワークはＬＡＮ（ｌｏｃａｌ  ａｒｅａ  ｎｅｔｗｏｒｋ）であってもよく、あるいはＷＡＮ（ｗｉｄｅ  ａｒｅａ  ｎｅｔｗｏｒｋ）であってもよい。【００８３】
また、具体的な各実施形態に対する上記説明では、「発明の開示」で説明した基本形態における対応情報の一例として表形式の対応情報が示されているが、この対応情報は他の形式であってもよい。【００８４】
また、具体的な各実施形態に対する上記説明では、「発明の開示」で説明した基本形態におけるデータ放送プログラムとして、ＣＤ−ＲＯＭ２６０に記憶されたデータ放送プログラムが示されているが、このデータ放送プログラムを記憶する媒体は、プログラムを記憶することができるものであればその種類を問うものではなく、例えばハードディスク装置の磁気ディスクであってもよく、あるいはフレキシブルディスクやＭＯディスクやＤＶＤであってもよく、あるいはカード型やテープ型の記憶媒体であってもよい。また、このデータ放送プログラムは、記憶媒体に記憶されているものに限定されず、例えば通信回線で通信されるものであってもよい。
【図１】
2010016129.tif 000003
【図２】
2010016129.tif 000004
【図３】
2010016129.tif 000005
【図４】
2010016129.tif 000006
【図５】
2010016129.tif 000007
【図６】
2010016129.tif 000008
【図７】
2010016129.tif 000009
【図８】
2010016129.tif 000010
【図９】
2010016129.tif 000011
【図１０】
2010016129.tif 000012
【図１１】
2010016129.tif 000013
【図１２】
2010016129.tif 000014
【図１３】
2010016129.tif 000015
【図１４】
2010016129.tif 000016
【国際調査報告】
2010016129.tif 000017
2010016129.tif 000018
2010016129.tif 000019